(57)【要約】  生体ガス成分を検知して、前記生体ガスの濃度を計測する機能と、前記計測結果を蓄積、分析する機能と、前記分析結果に応じて、食事の摂取に適したタイミング又は運動の実施に適したタイミングを判定する機能とを有する、ダイエット支援システム。
2013038959.tif 000002
【特許請求の範囲】
【請求項１】
生体ガス成分を検知して、前記生体ガスの濃度を計測する計測機能と、
前記計測機能による計測結果を蓄積し、分析する分析機能と、
前記分析機能による分析結果に応じて、食事の摂取に適したタイミング又は運動の実施に適したタイミングを判定するタイミング判定機能と、
を有する、ダイエット支援システム。
【請求項２】
前記生体ガスがアセトンであり、
前記分析機能は、アセトン濃度の測定結果と、予め定めた閾値との比較、又は、前記アセトン濃度の測定結果と過去に測定したアセトン濃度を蓄積した結果との比較を行い、
前記タイミング判定機能は、前記分析機能による比較結果に応じて、前記食事の摂取に適したタイミング又は前記運動の実施に適したタイミングを判定し、
前記ダイエット支援システムは、前記タイミング判定機能による判定結果に応じて、前記食事の摂取に適したタイミング又は前記運動の実施に適したタイミング、ないしは推奨する食事や運動、生活習慣に関するメッセージを通知する通知機能とを更に有する、
請求項１記載のダイエット支援システム。
【請求項３】
前記ダイエット支援システムは、予め定めた時間間隔内に食事を摂ったか否かを判定する食事摂取判定機能を更に有し、
前記分析機能による分析の結果、
前記タイミング判定機能が、前記食事の摂取に適したタイミング又は前記運動の実施に適したタイミングであると判定した場合に、
さらに、
前記食事摂取判定機能により、前記予め定めた時間間隔内に食事を摂っていないと判定される場合には、食事の摂取を勧める旨のメッセージを通知し、
前記食事摂取判定機能により、前記予め定めた時間間隔内に食事を摂っていると判定される場合には、運動の実施を勧める旨のメッセージを通知する、請求項１記載のダイエット支援システム。
【請求項４】
前記食事摂取判定機能は、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行する、請求項３記載のダイエット支援システム。
【請求項５】
過去に実施した運動の効果があったか否かを判定する効果判定機能を更に有し、
前記効果判定機能により、運動の効果があったと判定される場合には、前回と同等の運動強度、運動時間での運動の実施を勧める旨のメッセージを通知し、
前記効果判定機能により、運動の効果が無かったと判定される場合には、前回よりも運動強度を上げる又は運動時間を延ばして運動の実施を勧める旨のメッセージを通知する、請求項１記載のダイエット支援システム。
【請求項６】
前記効果判定機能による判定は、前記過去に実施した運動の後の予め定めた期間におけるアセトンの総量または平均値が、前記過去に実施した運動の前の予め定めた期間におけるアセトンの総量又は平均値と比較して上昇しているか否かに基づく、請求項５記載のダイエット支援システム。
【請求項７】
前記予め定めた期間内に、運動を実施したか否かを判定する運動実施判定機能を更に有し、
前記運動実施判定機能により、運動を実施していないと判定される場合には、運動の実施を勧める旨のメッセージを通知する、請求項１記載のダイエット支援システム。
【請求項８】
前記運動実施判定機能は、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、請求項７記載のダイエット支援システム。
【請求項９】
前記ダイエット支援システムは、予め定めた期間におけるアセトンの総量から、前記予め定めた期間における脂肪燃焼状況を算定する算定機能を更に有し、
前記算定機能により算定した結果を通知する、請求項１記載のダイエット支援システム。
【請求項１０】
前記生体ガス成分が、呼気、皮膚、粘膜のいずれか１つ以上から発せられ、
前記生体ガス成分が、アセトン、エタノール、メチルメルカプタン、硫化水素、イソプレン、一酸化窒素、酸素、二酸化炭素を含む群から選択される少なくともひとつであり、
前記生体ガス成分を検知して、前記生体ガスの濃度を計測する前記計測機能が、１種類以上のセンサを使用して、所定の時間間隔または任意のタイミングで前記生体ガス成分を検知し、前記生体ガスの濃度を計測する、請求項１記載のダイエット支援システム。
【請求項１１】
生体から発せられる生体ガスを検知して、その濃度を計測する計測機能と、
その計測結果を外部に送信する送信機能と、
食事の摂取ないしは運動の実施に適切なタイミング、または推奨する食事や運動、生活習慣、ないしは脂肪燃焼状況に関するメッセージを受信する受信機能と、
前記受信メッセージを表示する表示機能と、
を有する、端末装置。
【請求項１２】
検知した生体ガスの計測結果を蓄積、分析する分析機能と、
食事の摂取に適切なタイミングを判定する食事タイミング判定機能と、
お勧めの食事の情報を判定する食事判定機能と、
運動の実施に適切なタイミングを判定する運動実施タイミング判定機能と、
実施する運動強度、運動時間を判定する運動判定機能と、
脂肪燃焼状況を算定する算定機能と、
食事の摂取又は運動の実施に適切なタイミング、又はお勧めの食事の情報、実施する運動強度、運動時間、ないしは脂肪燃焼状況に関するメッセージを通知する通知機能と、
を更に有する、請求項１１記載の端末装置。
【請求項１３】
生体から発せられた生体ガスの計測結果を受信する受信機能と、
受信した生体ガスの計測結果を蓄積、分析する分析機能と、
食事の摂取に適切なタイミング又は運動の実施に適切なタイミング、又は推奨する食事や運動、生活習慣、ないしは脂肪燃焼状況を判定する判定機能と、
食事の摂取又は運動の実施に適切なタイミング、又は推奨する食事や運動、生活習慣、ないしは脂肪燃焼状況に関するメッセージを送信する送信機能と、
を有する、サーバ。
【請求項１４】
コンピュータに、
生体から発せられる生体ガス成分を検知して、前記生体ガス成分の濃度を計測する計測ステップと、
前記計測ステップによる計測結果を蓄積、分析する分析ステップと、
前記分析ステップによる分析結果に応じて、食事の摂取ないしは運動の実施に適したタイミング、又は推奨する食事や運動、生活習慣、ないしは脂肪燃焼状況を通知する通知ステップと、
を実行させる、ダイエット支援方法。
【発明の詳細な説明】
【技術分野】
【０００１】
本発明は、生体ガス成分の測定、分析などに基づく、ダイエットの支援システムと方法に関する。また本発明は、ダイエット支援システム及び方法に使用され得る端末装置及びサーバに関する。
【背景技術】
【０００２】
昨今の健康ブームにより、肥満解消のための様々なダイエット手法が出現しては消え、常に話題は尽きない。これは、万人に対して有効となる普遍的なダイエット手法が存在せず、個人にあったオーダーメイドのダイエット手法を提供する必要性があることを示唆している。一方、ダイエットの基本原理は単純である。すなわち、摂取カロリーよりも消費カロリーが多ければ、体重は減少する。つまり、ダイエットを行う上で重要なことは、個人に合わせた適切な食事、さらには個人にあわせた適切な食事と適切な運動との組み合わせである（例えば、厚生労働省作成、「健康づくりのための運動指針２００６−生活習慣病予防のために−（エクササイズガイド２００６）」を参照）。【０００３】
ここで食事については、摂取カロリーを制限することだけでなく、時計に合わせてではなく適切なタイミングでの食事、すなわち空腹時に食事を摂ることがダイエットに有効であることが知られている。また、空腹か否かは脳で検知できるが、脳が感じる空腹感・満腹感は主観的なものであり、その時の体内のグリコーゲン貯蔵量や血液中のグルコース濃度などの体内の状態を正確に反映しているとは限らないことも知られている。実際、咀嚼回数を通常より増やすだけで満腹感が得られ易くなってしまう事や、何か作業に集中している時には空腹感を感じないなどといった事があり、脳が錯覚し易いことをよく示している。一方、血液中のグルコース濃度などを計測すれば、客観的に空腹度が把握できる可能性があるが、この方法は血液の採取などを伴い、一般個人が手軽に行えるものでは無い。従って、客観的かつ手軽に空腹度を把握し、食事摂取の適切なタイミングを知る手段が求められている。【０００４】
一方、運動については、空腹時に運動を行うと、体内の貯蔵グリコーゲン量が少ないため、脂肪（例えば内臓脂肪）が燃焼し易い状況となっており、ダイエットにより有効であるとされている。さらに運動については、実施する運動の質と量も重要であり、個人に合った適正な運動強度で、適正な時間、運動を行うことがダイエットにより有効である。運動に対する耐性は個人差があり、運動負荷を掛け過ぎても、掛けなさ過ぎても脂肪は燃焼しない。【０００５】
従来から、生体から発せられる生体ガス成分を測定、分析することで、体脂肪の燃焼具合を確認できることが知られている。例えば特許文献１には、呼気ガスに含まれるアセトン濃度を測定することで、体脂肪の燃焼状況を確認する手法が開示されている。また特許文献２には、呼気ガスに含まれるアセトン濃度を測定することで、体脂肪を効率的に燃焼させる運動強度を算出する方法が開示されている。アセトンは、体脂肪の分解に伴う代謝産物の１つであり、極微量ながら呼気や皮膚、粘膜から発せられるガス成分に含まれるため、個人が手軽に測定し得る客観的な脂肪燃焼マーカとして有望である。【０００６】
しかしながら、前記特許文献１、特許文献２のいずれにおいても、食事摂取の適切なタイミングや運動を実施するための適切なタイミングを、個人に通知する手段や方法に関しては一切言及されていない。さらにこれら文献には、所定期間内における運動量を推定し、個人に、日常アセトン濃度レベルが高くなるよう生活習慣の改善を個人に助言する手段や方法に関しても一切言及されていない。
【先行技術文献】
【特許文献】
【０００７】
【特許文献１】特開2001−349888号公報
【特許文献２】特開2010−268864号公報
【非特許文献】
【０００８】
【非特許文献１】厚生労働省作成「健康づくりのための運動指針２００６−生活習慣病予防のために−（エクササイズガイド２００６）」
【発明の概要】
【発明が解決しようとする課題】
【０００９】
本発明は、手軽にかつ客観的に個人の空腹度を把握して、各個人に食事を摂るのに適したタイミングや推奨される食事の情報を通知する、ダイエット支援システムおよびダイエット支援方法を提供することを課題とする。さらに本発明は、ダイエット効果（脂肪燃焼効果）が高いと見込まれる、運動を実施するための適切なタイミングや運動強度及び運動時間を個人に通知するダイエット支援システムおよびダイエット支援方法を提供することを課題とする。さらに本発明は、所定期間内における個人の脂肪燃焼状況、運動量を推定し、個人のいわゆる生活活動の指針として例えば日常アセトン濃度レベルが高くなるよう生活習慣の改善を助言する、ダイエット支援システムおよびダイエット支援方法を提供することを課題とする。
【課題を解決するための手段】
【００１０】
本発明者らは上記課題を解決すべく鋭意検討を行った結果、個人の生体から発せられる種々の生体ガス成分を検知し、前記生体ガスの濃度を計測し、前記計測結果を分析することにより、手軽にかつ客観的に個人の空腹度を把握でき、各個人に食事を摂るのに適したタイミングや推奨される食事の情報を通知することができること、及びダイエット効果（脂肪燃焼効果）が高い運動の実施に適したタイミングや運動強度及び運動時間を通知することができること、さらには所定期間内における個人の脂肪燃焼状況、運動量を推定することができ、従って個人の生活習慣の改善を助言することができることを見出し、本発明を完成した。【００１１】
即ち本発明のダイエット支援システムは、生体ガス成分を検知して、前記生体ガスの濃度を計測する機能と、前記計測結果を蓄積、分析する機能と、前記分析結果に応じて、食事の摂取に適したタイミング又は運動の実施に適したタイミングを判定する機能とを有する、ことを特徴とするダイエット支援システムである。【００１２】
また本発明の端末装置は、生体から発せられる生体ガスを検知して、その濃度を計測する機能と、その計測結果を外部に送信する機能と、食事の摂取ないしは運動の実施に適切なタイミング、または推奨される食事や運動、生活習慣、ないしは脂肪燃焼状況に関するメッセージを受信する機能とを有する、ことを特徴とする端末装置である。【００１３】
また本発明のサーバは、生体から発せられた生体ガスの計測結果を受信する機能と、受信した生体ガスの計測結果を蓄積、分析する機能と、食事の摂取に適切なタイミング又は運動の実施に適切なタイミング、又は推奨される食事や運動、生活習慣、ないしは脂肪燃焼状況を判定する機能と、食事の摂取又は運動の実施に適切なタイミング、又は推奨される食事や運動、生活習慣、ないしは脂肪燃焼状況に関するメッセージを送信する機能とを有する、ことを特徴とするサーバである。【００１４】
さらに本発明のダイエット支援方法は、コンピュータが、生体から発せられる生体ガス成分を検知して、その濃度を計測するステップと、その計測結果を蓄積、分析するステップと、その分析結果に応じて、食事の摂取ないしは運動の実施に適したタイミング、又は推奨される食事や運動、生活習慣、ないしは脂肪燃焼状況を通知するステップとを実行する、ことを特徴とするダイエット支援方法である。
【発明の効果】
【００１５】
本発明によれば、客観的かつ手軽にユーザの空腹度を把握でき、ユーザは食事を摂るのに適したタイミングや推奨される食事の情報を知ることができる。また、ユーザは脂肪燃焼効果が高いと見込まれる、運動を行うのに適したタイミングや運動強度、運動時間を知ることができる。つまり、個人の代謝状況を反映したオーダーメイドのダイエット支援プログラムを提供することが可能となる。
【図面の簡単な説明】
【００１６】
【図１】本発明の実施形態にかかるダイエット支援システムの構成例である。
【図２】本発明の実施形態にかかる端末装置の構成例である。
【図３】本発明の実施形態にかかるサーバの構成例である。
【図４】本発明の実施形態にかかるユーザAAAの生体ガス濃度データベースの例である。
【図５】本発明の実施形態にかかる個人情報データベースの例である。
【図６】本発明の実施形態にかかるダイエット支援システムの動作例１を示すフローチャートである。
【図７】本発明の実施形態にかかるダイエット支援システムの動作例２を示すフローチャートである。
【図８】本発明の実施形態にかかるダイエット支援システムの動作例２の動作中に算出されるグラフ例を示す。
【図９】本発明の実施形態にかかるダイエット支援システムの動作例３の動作中に算出されるグラフ例を示す。
【図１０】本発明の実施形態にかかるダイエット支援システムの機能を示す機能ブロック図である。
【図１１】本発明の実施形態にかかる端末装置の機能を示す機能ブロック図である。
【図１２】本発明の実施形態にかかるサーバの機能を示す機能ブロック図である。
【発明を実施するための形態】
【００１７】
以下、本発明の実施形態について詳細に説明する。
【００１８】
本明細書中での説明において、本発明の実施例におけるダイエット支援システム又は方法の使用者、対象者などを例示的に「個人」又は「ユーザ」として説明される場合があるが、ダイエット支援システム又は方法はそれらに制限されるものではない。
【００１９】
（ダイエット支援システム）
図１０は、本発明の実施例におけるダイエット支援システム１０００の機能を示す機能ブロック図である。本発明の実施例におけるダイエット支援システム１０００は、生体ガス成分を検知して、前記生体ガスの濃度を計測する計測機能１００１と、前記計測結果を蓄積、分析する分析機能１００２と、前記分析結果に応じて、食事の摂取に適したタイミング又は運動の実施に適したタイミングを判定するタイミング判定機能１００３とを有することを特徴とする。
【００２０】
ここで「生体ガス」とは、生体が発する全てのガスを意味し、気道（肺、気管支、鼻、口など）を通じて外部へ発せられる種々のガス、皮膚から発せられる種々のガス、粘膜などから発せられる種々のガスが含まれる。これらの生体ガスには有機性成分及び無機性成分が共に含まれる。有機性成分としては、限定されるものではないが、アセトンなどのケトン、エタノールなどのアルコール、エステル、メチルメルカプタンなどのメルカプタン、イソプレンなどのオレフィン、アミンが挙げられる。又は無機性成分としては、限定されるものではないが、水、一酸化炭素、二酸化炭素、硫化水素、アンモニア、一酸化窒素、酸素などが挙げられる。
【００２１】
かかる生体ガス成分の検知、濃度計測の方法及び装置については特に制限はなく、上記生体ガス成分の種類及び予想される範囲の含有量（濃度）に適合する、知られた種々の検知、濃度計測方法又は装置を選択、使用可能である。生体から発せられる通常の成分及び濃度についてはこれまでよく知られており、かかる成分の検知、濃度測定の方法、手段を選択することは容易である。本発明の実施例における方法においては、限定されるものではないが、種々の生体ガス成分に選択的な半導体ガスセンサの使用が好ましい。かかるセンサは種々市販されており、該センサをそのまま又は通常公知の方法で改変・最適化することで容易に使用可能とすることができる。
【００２２】
計測結果を蓄積、分析する分析機能１００２についても特に制限はされず、通常公知のデータ記録方法及び手段を選択して、測定結果（測定データ、較正用データ、他の（比較用）データ）又は他の情報（例えば測定時間、場所などの環境情報や個人情報など）と共に記憶、蓄積され得る。該データは、以下の分析に使用するため、読み込み、書き換えなどが可能である。
【００２３】
得られた計測結果に基づき、食事の摂取に適したタイミング、運動の実施に適したタイミングを判定するタイミング判定機能１００３についても特に制限はなく、計測データ及び、すでに蓄積された他の情報、例えば、電子スケジュールデータ、ブログ、手入力データなどに基づき分析することが可能である。本発明の実施例において好ましいタイミング判定方法については以下に説明される。
【００２４】
本発明の実施例における特徴のひとつである、食事の摂取に適したタイミング又は運動の実施に適したタイミングを判定するタイミング判定機能１００３については特に制限はなく、上記分析の結果から得られた判断に基づき、該タイミングを判定できればよい。タイミングの通知は、前記判定が得られた後はできるだけ迅速に通知されることが好ましい。通知が遅い場合、最適なタイミングを逃す恐れがあるからである。
【００２５】
なお本発明の実施例においては、前記生体ガス成分検知の、時間、期間、回数などについては特に制限はない。むしろユーザの個人差（目的、体調など）に合わせて、検出成分の種類、検出回数、検出期間を自由に選択することができる。例えば、初期の段階で基礎的な情報を得るために、予め、一定期間、一定のスケジュールに基づいて検出を行い、日常の種々の状態（例えば、安静状態、身体活動状態、生活活動状態、さらには運動を行っている状態など）につき計測データ、及びそのデータに基づく処理（例えば平均化、トレンド分析などの統計処理）を行うことは好ましい。またユーザの通常の一日の食事摂取習慣、運動習慣に応じて、食事の前後、中間、運動の前後、中間時間などで検知・計測された計測結果を蓄積することは好ましい。これらの予め得られ蓄積されたデータを用いることで、本発明の分析の精度が高くなり、より適切なタイミングなどの判定が可能となる。
【００２６】
さらに、上記本発明の実施例におけるダイエット支援システム１０００の機能は、それらの機能を時間的、空間的に独立して又はそれらの機能のいくつかを連携させ又は全ての機能を連携させて実施するように構成することができる。例えば、生体ガス成分を検知して、前記生体ガス成分の濃度を計測する計測機能１００１を有する装置と、前記計測結果を蓄積、分析する分析機能１００２及び前記通知する通知機能１００４とを時間的・空間的に分離された装置で実施するように構成することが可能である。かかる場合には本発明の実施例におけるダイエット支援システム１０００の機能はさらに、前記計測結果（さらに、前記計測に関するその他の情報）を種々の手段・装置を用いて送信及び受信する送受信機能を含むことが好ましい。具体的には、限定されるものではないが、有線、無線、ネットワークなどを介する送受信が挙げられる。かかる構成により、ユーザが自身で検出・計測した結果を、有線、無線、ネットワークなどを介して蓄積、分析する分析機能１００２及び前記通知する通知機能１００４を有する装置へ送信し、さらに、前記分析の結果、食事の摂取に適したタイミング又は運動の実施に適したタイミングなどを有線、無線、ネットワークなどを介して前記ユーザに通知することが可能となる。
【００２７】
ダイエット支援システムの実施態様のひとつは、前記生体ガスがアセトンであることを特徴とする。生体ガス中にアセトンが含まれ、アセトンの存在、濃度、または濃度変化が、生体内の反応、特に脂肪燃焼状態を示すものとして知られている。さらにかかる場合、前記分析機能１００２が、前記アセトン濃度の測定結果と、予め定めた閾値とを比較する、あるいは過去に測定したアセトン濃度を蓄積した結果とを比較することで、食事の摂取に適切なタイミングであるか又は運動の実施に適切なタイミングであるかを判定するタイミング判定機能１００３を含む。ここでアセトンの検出及び濃度測定については上で説明した。また予め定めた閾値とは、ユーザ固有の、一定の期間内での基本的な状況（食事中、その前後、運動中、その前後、運動をしない生活活動）下で計測され蓄積されたアセトン濃度から導かれる値であり、該閾値に基づいて、食事の摂取に適切なタイミングであるか又は運動の実施に適切なタイミングであるかを判定する値である。すなわち該閾値は該ユーザ固有の値であり、また、該ユーザのその後の状況の変化（体重の変化、又は脂肪燃焼性の変化など）に応じて変化する値である。該閾値は、ユーザ自身が定めても良いし、ダイエットを指導する医師などの第三者が定めても良い。
【００２８】
ダイエット支援システムの他の実施態様のひとつは、上で説明したダイエット支援システム１０００であって、予め定めた時間間隔内に食事を摂ったか否かを判定する食事摂取判定機能１００５を更に有することを特徴とする。さらにこの機能により、前記分析の結果、食事の摂取に適切なタイミングである又は運動の実施に適切なタイミングであると判定される場合に、さらに、前記予め定めた時間間隔内に食事を摂っていないと判定される場合には、食事の摂取を勧める旨のメッセージを通知し、前記予め定めた時間間隔内に食事を摂っていると判定される場合には、運動の実施を勧める旨のメッセージを通知する。ここで本発明において前記「予め定めた時間間隔」は、特に限定されず、ユーザそれぞれの固有の値であり、ユーザの食事習慣により決められる。通常ユーザ自身により入力され、以後の分析・判定のためにデータを蓄積する。例えば朝、昼、夜の三食をそれぞれ朝６時、昼１２時、夜６時とする場合、該時間間隔はそれぞれ６時間、６時間、１２時間となる。また、本発明の実施例において、食事を摂っていないかどうかの判定の方法についても特に制限はなく、ユーザ自身の入力情報に基づいて判定することができる。また本発明の実施例は、ユーザ自身が食事を摂ったかどうか不明の場合に、その他の方法により判定することを含む。
【００２９】
ダイエット支援システムの他の実施態様はさらに、上で説明した前記食事摂取判定機能１００５が、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行する、ことを特徴とする。生体から発せられるエタノール、メチルメルカプタン、硫化水素は、食事を摂取することで生じる生体内の反応の結果、発せられるガスを例示したものであり、本発明はこれらに限定されるものではない。食事の内容により、これらのガス成分の種類は変化し得るため、これらのガス成分以外の成分も含めることができる。ここで手入力データについては上で説明した。また電子スケジュールデータについては、予めユーザにより決められたスケジュールデータを電子化して蓄積することができる。
【００３０】
ダイエット支援システムの他の実施態様は、さらに、過去に実施した運動の効果があったか否かを判定する効果判定機能１００６を有し、前記運動の効果があったと判定される場合には、前回と同等の運動強度、運動時間での運動の実施を勧める旨のメッセージを通知し、前記運動の効果が無かったと判定される場合には、前回よりも運動強度を上げる又は運動時間を延ばして運動の実施を勧める旨のメッセージを通知する、ことを特徴とする。ここで本発明実施例において、「過去に実施した運動の効果」とは、ダイエット効果として現れる運動の効果を意味する。従って本発明の実施例においては、「過去に実施した運動の効果」については特に制限はなく、種々の定性的、半定量的、定量的な指標に基づいて、現在行っている運動と、その効果を比較できる指標であればよい。また、ここで運動強度とは運動の強さを意味するものであれば特に限定されるものではないが、定量的に扱い、かつ具体的に種々の種類の運動（活動）についてよく知られた値（例えばメッツ値）を使用することが好ましい。さらに、この運動強度としてメッツ値を採用する場合、運動時間をかけた値が運動量（又はエクササイズ）とされる。従って、過去に実施した運動の効果を判断する場合、過去に実施した同じ運動量（例えばメッツ値×運動時間が同じ値）を用いて比較し、判断することが可能となる。
【００３１】
ダイエット支援システムの他の実施態様は、上で説明した過去に実施した運動の効果があったか否かを判定する効果判定機能１００６が、前記過去に実施した運動の後の予め定めた期間におけるアセトンの総量または平均値が、前記過去に実施した運動の前の予め定めた期間におけるアセトンの総量又は平均値と比較して上昇しているか否かに基づく、ことを特徴とする。上で説明したように、好ましくは、本発明の実施例において、ユーザは、予め一定の期間、連続的に、定期的に、生体ガス、アセトンの検出、測定を行い、計測データを、その他の情報とともに蓄積する。かかる蓄積されたアセトンのデータに基づき、ある特定の運動を実施することでアセトンの総量又は平均値が変わらないか、又は上昇するかを判断することができる。アセトンの総量又は平均値が上昇することは、ユーザの脂肪燃焼状況が改善されていることを示す。
【００３２】
ダイエット支援システムの他の実施態様はさらに、前記予め定めた期間内に、運動を実施したか否かを判定する運動実施判定機能１００７を有し、前記運動を実施していないと判定される場合には、運動の実施を勧める旨のメッセージを通知する、ことを特徴とする。ここで、「予め定めた期間」は、ユーザの特有の値であり、予め運動するべき期間を定めてユーザにより入力された期間又は運動すべき期間として予め推奨された値である。運動を実施したかどうかの判定は、ユーザ自身の手入力による場合、又はユーザ自身が不明の場合には、他の方法により判定される。他の方法には特に制限はないが、一定の期間内に運動をした場合に生じる生体ガスの成分の変化又は成分の濃度変化を計測することで可能となる。
【００３３】
ダイエット支援システムの他の実施態様は、前記運動を実施したか否かを判定する運動実施判定機能１００７については、予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、ことを特徴とする。ここで、ユーザ自身の入力又は予め電子化されたスジュールデータを参照することは上で説明した。本発明の実施例において好ましくは、ユーザ自身の意識とは別に、運動を実施したかどうかの判定を生体ガスの検出に基づいて行うことが好ましい。一定の期間内に運動をした場合に生じる生体ガスの成分の変化又は成分の濃度変化については特に制限はないが、運動の実施により生体内のエネルギー源である、例えばグルコース、脂肪などの燃焼の結果生じる生体ガスであればよい。本発明の実施例では特に生体ガス成分としてのアセトンないしはイソプレンの急激な濃度上昇を検知することが好ましい。また、生体ガスの検出ではなく、その他の運動指標、例えば歩数計データの参照、活動量計データの参照が挙げられる。これらのデータは、ユーザ自身による入力、又は運動に伴い自動的に検出され、ユーザ自身により、又は自動的にそれらのデータが前記運動実施判定機能１００７に送られる。
【００３４】
ダイエット支援システムの他の実施態様は、前記ダイエット支援システム１０００であって、予め定めた期間におけるアセトンの総量から、前記予め定めた期間における脂肪燃焼状況を算定する算定機能１００８を更に有し、算定した結果を通知する、ことを特徴とする。ここで予め定めた期間とは、ユーザの固有の値であり、ダイエット支援の目的に応じて、その期間内の脂肪燃焼状況を算定するために、その期間のアセトンの検出の回数などから適宜決めることができる。例えば脂肪燃焼状況が、食事の摂取により変動する場合、食事を挟んで少なくとも２回以上のアセトン検出、測定を行うことが好ましい。また、運動の実施により変動する場合、運動を挟んで少なくとも２回以上のアセトン検出、測定を行うことが好ましい。さらに、一日間全体の脂肪燃焼状況を算定する場合、一日の通常の活動（食事、運動を含めて）に合わせて少なくとも２回以上のアセトン検出、測定を行うことが好ましい。同様に一日以上の長期間に亘る脂肪燃焼状況を算定する場合には、数日、数週間、又はそれ以上の期間にわたり複数回のアセトン検出、測定を行い、データを蓄積することが好ましい。また、前記脂肪燃焼状況の算定は、前記アセトン濃度の測定値から、適切な知られた生化学反応式を用いて、脂肪の燃焼を直接算定することが可能である。また、前記アセトン濃度の測定値の相対値又は傾向分析により、脂肪燃焼状況との相関関係を求めて間接的に算定することが可能である。また、実施例７−脂肪燃焼状況、運動量の定量化法−においても脂肪燃焼状況の算定方法は説明されている。さらにかかる脂肪燃焼状況は、ユーザの固有の値、傾向を含むものであり、該ユーザの食事の摂取、運動の実施、日常活動の変化などのダイエット支援を行う上で非常に有効な値となる。
【００３５】
ダイエット支援システムの他の実施態様は、前記ダイエット支援システム１０００であって、前記生体ガス成分が、呼気、皮膚、粘膜のいずれか１つ以上から発せられ、前記生体ガス成分が、アセトン、エタノール、メチルメルカプタン、硫化水素、イソプレン、一酸化窒素、酸素、二酸化炭素を含む群から選択される少なくともひとつであり、前記生体ガス成分を検知して、前記生体ガスの濃度を計測する計測機能１００１が、１種類以上のセンサを使用して、所定の時間間隔または任意のタイミングで検知し、その濃度を計測する、ことを特徴とする。
【００３６】
（端末装置）
図１１は、本発明の実施例における端末装置２０００の機能を示す機能ブロック図である。本発明の実施例は、生体から発せられる生体ガスを検知して、その濃度を計測する計測機能２００１と、その計測結果を外部に送信する送信機能２００９と、食事の摂取ないしは運動の実施に適切なタイミング、または推奨される食事や運動、生活習慣、ないしは脂肪燃焼状況に関するメッセージを受信する受信機能２０１０とを有する、ことを特徴とする端末装置２０００を提供する。該端末装置２０００は、上で説明した本発明の実施例におけるダイエット支援システム１０００を実施するためのひとつの具体的な装置である。ここで、生体から発せられる生体ガスを検知して、その濃度を計測する計測機能２００１についてはすでに説明した。また計測結果を外部に送信する送信機能２００９は特に制限されず、通常の計測結果データを通信する全ての機能及びそれを具体的にする手段を含む。例えば、有線、無線又はネットワークを介する送信が挙げられる。本発明の実施例では特にネットワークを介する送信が好ましい。また外部からの、食事の摂取ないしは運動の実施に適切なタイミング、または推奨される食事や運動、生活習慣、ないしは脂肪燃焼状況に関するメッセージを受信する受信機能２０１０についても特に制限はなく、外部から例えば、有線、無線又はネットワークを介する受信が挙げられる。本発明の実施例では特にネットワークを介する受信が好ましい。さらに場合により受信したメッセージを、種々の方法で表示、通知する表示機能２０１１を含んでいてよい。例えば音声による通知、又は表示装置による表示機能などが挙げられる。推奨される食事に関するメッセージは、例えば食事のメニューや量、回数、摂取カロリー数、炭水化物の配分比率などに関する情報を含み、推奨される運動に関するメッセージは、例えば実施する運動の種類や強度、時間、回数などに関する情報を含む。また、推奨される生活習慣に関するメッセージは、例えば間食や夜食を控えたり、階段の利用を勧めたり、最寄駅よりも１つ手前の駅で電車を降りて歩くことを勧めるなどといった情報を含む。
【００３７】
また端末装置の他の実施態様は、更に、検知した生体ガスの計測結果を蓄積、分析する分析機能２００２と、食事の摂取に適切なタイミングを判定する食事タイミング判定機能２００３や推奨される食事の情報を判定する食事判定機能２００４と、運動の実施に適切なタイミングを判定する運動タイミング判定機能２００５と、実施する運動強度、運動時間を判定する運動判定機能２００６と、脂肪燃焼状況を算定する算定機能２００７と、食事の摂取又は運動の実施に適切なタイミング、推奨される食事の情報、又は実施する運動強度、運動時間、ないしは脂肪燃焼状況に関するメッセージを通知する通知機能２００８とを有する、ことを特徴とする。本発明の実施例における端末装置２０００は、上ですでに説明した、検知した生体ガスの計測結果を蓄積、分析する分析機能２００２と、食事の摂取に適切なタイミングを判定する食事タイミング判定機能２００３や推奨される食事の情報を判定する食事判定機能２００４と、運動の実施に適切なタイミングを判定する運動タイミング判定機能２００５と、実施する運動強度、運動時間を判定する運動判定機能２００６と、脂肪燃焼状況を算定する算定機能２００７と、食事の摂取又は運動の実施に適切なタイミング、推奨される食事の情報、又は実施する運動強度、運動時間、ないしは脂肪燃焼状況の通知機能２００８を備えたものである。従って、該端末装置は、外部との送受信を必要とせずに、これまで説明した本発明の実施例におけるダイエット支援システムを単独で実施することができる。
【００３８】
（サーバ）
図１２は、本発明の実施例におけるサーバ３０００の機能を示す機能ブロック図である。本発明の実施例は、生体から発せられた生体ガスの計測結果を受信する受信機能３００１と、受信した生体ガスの計測結果を蓄積、分析する分析機能３００２と、食事の摂取に適切なタイミング又は運動の実施に適切なタイミング、又は推奨される食事や運動、生活習慣、ないしは脂肪燃焼状況を判定する判定機能３００３と、食事の摂取又は運動の実施に適切なタイミング、又は推奨される食事や運動、生活習慣、ないしは脂肪燃焼状況に関するメッセージを送信する送信機能３００４とを有する、ことを特徴とするサーバ３０００を提供するものである。該サーバ３０００はすでに上で説明した、生体から発せられた生体ガスの計測結果を受信する受信機能３００１と、受信した生体ガスの計測結果を蓄積、分析する分析機能３００２と、食事の摂取に適切なタイミング又は運動の実施に適切なタイミング、又は推奨される食事や運動、生活習慣、ないしは脂肪燃焼状況を判定する判定機能３００３と、食事の摂取又は運動の実施に適切なタイミング、又は推奨される食事や運動、生活習慣、ないしは脂肪燃焼状況に関するメッセージを送信する送信機能３００４とを有するものである。該サーバ３０００は、上で説明した本発明の実施例における端末装置２０００と組み合わせて、本発明の実施例におけるダイエット支援システム１０００を実施することができる。また該サーバ３０００と該端末装置２０００間の送受信方法については特に限定されず、例えば、有線、無線又はネットワークを介する送受信が挙げられる。本発明の実施例では特にネットワークを介する送受信が好ましい。
【００３９】
（ダイエット支援方法）
さらに本発明の実施例によれば、生体から発せられる生体ガス成分を検知して、その濃度を計測するステップと、その計測結果を蓄積、分析するステップと、その分析結果に応じて、食事の摂取ないしは運動の実施に適したタイミング、又は推奨される食事や運動、生活習慣、ないしは脂肪燃焼状況を通知するステップとを実行する、ことを特徴とするダイエット支援方法が提供される。ここで各ステップについては上ですでに具体的に説明されている。また各ステップの実行は、ヒトであってもよく、コンピュータにより実行されてもよい。ヒトの場合、例えば、ユーザ自身又は医師、看護師、検査師などの医療関係者、又はダイエット支援方法、システムを提供する業者であってもよい。
【００４０】
なお本発明の実施例は、これまで説明した、端末装置２０００と、ネットワークと、前記ネットワークを介して前記端末装置２０００と通信するサーバ３０００とを含み、前記端末装置２０００が、生体ガスを検知して、前記生体ガスの濃度を計測する計測機能２００１と前記計測結果を前記端末装置から前記ネットワークを介して前記サーバに送信する送信機能２００９と、前記サーバ３０００から前記ネットワークを介してメッセージを受信する受信機能２０１０と、前記サーバ３０００から受信したメッセージを表示する表示機能２０１１を含み、前記サーバ３０００が、前記送信された前記計測結果を受信する受信機能３００１と、受信した前記計測結果を蓄積、分析する分析機能３００２と、前記生体ガスの濃度の測定結果と、予め定めた閾値とを比較する、ないしは過去に測定したアセトン濃度を蓄積した結果とを比較することで、食事の摂取に適切なタイミングであるか又は運動の実施に適切なタイミングであるかを判定する判定機能３００３と、前記判定された結果に応じて、前記ネットワークを介して前記端末装置２０００に前記食事の摂取を勧める旨のメッセージ又は運動の実施を勧める旨のメッセージを送信する送信機能３００４とを含む、ことを特徴とするダイエット支援システム及びダイエット支援方法をも含む。
【００４１】
以下本発明の実施例を、添付図面と共に例示実施例を用いてさらに詳細に説明する。ただし本発明はこれらの実施例に限定されるものではない。
【００４２】
（実施例１）  端末−ネットワーク−サーバの例
図１は、本発明のひとつの実施形態についてのシステム構成例を示す。端末装置１００a、１００b及びサーバ１０２が、ネットワーク１０１を介して送受信（以下、「通信」ともいう。）可能な構成となっている。ただし例示のために端末装置はここでは２個示されているが、少なくともひとつの端末であればよい。
【００４３】
ここで端末装置１００a、１００bは本システムのユーザが所持する（利用する）端末装置であり、例えば携帯電話やスマートフォン、PDA、各種センサ装置などの持ち運びが可能、または装着・装用が可能な電子機器が含まれる。また他のシステム構成例としては、例えば端末装置１００a、１００bがセンサ装置であり、無線LAN、Bluetooth、ZigBeeなどの近距離無線通信を用いて携帯電話やスマートフォン、PDA等と通信を行い、携帯電話やスマートフォン、PDA等からネットワーク１０１を介してサーバに通信可能な構成となっていてもよい。
【００４４】
図２に示されるように、端末装置１００a、１００bは、生体ガスセンサ２００を備えており、所定の周期または任意のタイミングでユーザの生体から発せられるガス（生体ガス）中に存在するアセトン、エタノール、メチルメルカプタン、硫化水素、イソプレン、一酸化窒素、酸素、二酸化炭素のうち少なくとも１種類以上のガス成分の濃度を、１種類以上のセンサを使用して測定する。測定は例えばユーザが端末装置の生体ガスセンサ２００に向かって呼気などを吹きかけて実施することが可能である。さらに、端末装置１００a、１００bが携帯電話の場合には、通話中に、生体ガスセンサ２００により生体ガスを採取しても良い。
【００４５】
端末装置１００ａ、１００ｂには、さらに前記ネットワークと通信可能な通信部２０３を備えることができ、測定された生体ガスセンサからのデータ、又は他の情報（ユーザの個人情報、手入力情報など）をサーバに送信する。さらに該通信部は、サーバから送られてくるメッセージ、その他の情報を受信することができるように構成される。また、端末装置１００ａ、１００ｂには、さらに表示部２０２を備えることができ、端末装置の機能（メニュー）、ユーザの手入力情報、サーバへの送信データ、サーバからの受信データ・情報を例えば視認確認のために表示するように構成される。具体的には液晶表示装置などが挙げられる。さらに端末装置１００ａ、１００ｂには、上記機能（生体ガスセンサ２００、表示部２０２、通信部２０３など）を制御する操作部２０１をさらに備えていてよい。かかる制御には、例えば操作部２０１は、ユーザに、生体ガス測定を確認・促すために、既定の時間（日時）、時間間隔を表示部２０２に表示すること、ユーザに必要な個人情報（例えば体重測定結果、運動実施結果など）又は環境情報（外気温度、湿度など）を手入力するタイミングを確認・促すこと、既定のタイミングでこれらのデータ・情報をサーバに送信すること（ユーザに促す、又は自動送信も含む）、さらにサーバへのユーザからの問い合わせ（例えば、分析・判定結果の送信依頼、蓄積データの内容閲覧、データの修正・変更など）などが含まれる。さらにサーバからのメッセージに対するユーザの応答内容とタイミング（例えば食事摂取のメッセージに対して食事を摂取した後、その旨をサーバに送信する）の制御が含まれる。操作部２０１は、表示部２０２と一体に構成されていてもよい。例えば表示部２０２に操作部２０１の機能を示すメニューを配置し、ユーザに選択させることができる。
【００４６】
サーバの一例を図３に示す。ここでサーバ１０２は、データベース３００、通知判断部３０４を備えている。また、サーバ１０２は、脂肪燃焼状況・運動量推定部３０５又は通信部３０３を備えることができる。
【００４７】
データベース３００には生体ガスセンサ２００で測定した生体ガス濃度が測定時刻情報と共に蓄積される生体ガス濃度データベース３０２を含む。生体ガス濃度データベース３０２の一例を図４に示す。図４で示される生体ガス濃度データベース３０２は、測定時間についての情報と、測定成分の種類（ここではアセトン及びエタノール）、それらの測定された濃度（ここではｐｐｂ単位で表現）が時間とともに列記されている。
【００４８】
さらにデータベース３００にはユーザの個人情報及びその他の情報を含む個人情報データベース３０１が含まれてよい。その一例を図５に示す。ここでは、端末装置１００a、１００bを所有しているユーザの個人情報であるユーザ名、性別、体脂肪率（％）、BMI（Body  Mass  Index）が列記されている。
【００４９】
通知判断部３０４は、データベース３００の情報に基づき、食事の摂取や運動に適したタイミング、推奨される食事や運動、生活習慣を判定し、ユーザに通知するかどうかを判断する。脂肪燃焼状況・運動量推定部３０５では生体ガス濃度データベース３０２中のアセトン濃度の情報に基づき、ユーザの脂肪燃焼状況、運動量を推定する。推定方法は、既に上で記載した例と実施例７−脂肪燃焼状況、運動量の定量化法−で説明される。ただし、ユーザの脂肪燃焼状況、運動量を推定する方法はこれに限らない。
【００５０】
(実施例２）  ダイエット支援システム動作例その１
図６を参照しながら動作例を説明する。
【００５１】
生体ガスセンサ２００で測定した生体ガスの濃度データおよび測定時刻は通信部２０３からネットワーク１０１を介して、サーバ１０２に送信される。サーバ１０２に記録されている生体ガス濃度データベース３０２から、測定されたアセトン濃度が予め定めたアセトン濃度の閾値より高いか低いかを判定する。当該閾値は、生体ガス測定日の起床直後のアセトン濃度、もしくは、これまで記録されているアセトン濃度から、起床直後のアセトン濃度の平均値、アセトン濃度を測定したユーザとBMIや体脂肪率の値が近い人が脂肪燃焼を始めるアセトン濃度の平均値、文献などを参照して、一般に脂肪燃焼の開始が期待されると見込まれるアセトン濃度（例えばClin.Chem.,39/1,87-92,1993.では37nmol/l＝0.83ppm）から算出したもの等が利用できる。
【００５２】
特に、起床直後のアセトン濃度は、通常６時間以上食事を摂取していない状態のアセトン濃度となるため、空腹時のアセトン濃度の基準とみなし得るが、これに限定されず、測定状況に合わせて任意の濃度を閾値として設定することができる。例えば、図９に示すようなユーザの所定の時間内のアセトン濃度の日内変動を平均化した日内変動グラフを導出し、比較対象としても良い。
【００５３】
(I)予め定めたアセトン濃度の閾値より、測定されたアセトン濃度が高い場合
予め定めた所定の時間内に、食事を行っているか判断する。食事の有無の判断方法は、例えば以下のような方法が可能である。呼気ガス中のエタノール濃度は、食事の摂取後一時的に僅かながら高まることが経験的に知られており、呼気中のエタノール濃度の上昇をユーザの食事摂取の有無として利用できる。ただし、ユーザの食事摂取の有無の判断は、呼気中のエタノール濃度を利用する方法に限らない。例えば、食事をすれば、メチルメルカプタンや硫化水素などの口臭成分の濃度が高まることが多く、口臭成分の濃度上昇を食事の有無として判断しても良い。また、飲料水中の水溶性成分はおおよそ汗として排出されることが知られており、汗中の特定成分の排出量の上昇等から食事の有無を判断しても良い。また、ユーザが自ら端末装置１００a、１００bに食事の有無を入力することや、ユーザの電子スケジュール帳やブログなどから食事の情報を取得すること、ほぼ決まった時刻に食事を摂取するユーザの場合は予め食事を摂取する時刻を入力しておくことなども可能である。
【００５４】
(i)  予め定めた所定の時間内に、食事を行っている場合
運動を行うと体脂肪が燃焼しやすい状態であると判断する。次に、前回行った運動の運動強度、運動時間が適切であったか否かを判断する。判断方法としては、後述の実施例７−脂肪燃焼状況、運動量の定量化法−を用いて、運動していない所定の時間の運動量と前回運動した際の所定の時間の運動量とを比較し、前回運動した際の所定の時間の運動量のほうが一定量高い場合、運動の効果が出ていると判断し、前回の運動と同レベルの運動を勧める旨のメッセージを送信する。一定量高くない場合には運動の効果が出ていないため、前回より運動時間が長く、または運動強度が高い運動を勧める旨のメッセージを送信する。運動強度の指標としては例えばMETs（Metabolic Equivalents）が知られており、例えば前回はランニングを8.4km/時(METs 9.0)で３０分行ったが、運動量が足りていないと判断された場合には、ランニングを10.8km/時（METs 11.0）を４０分行うことを勧めるメッセージを送信する。ただし、運動強度の指標はMETsに限らず、酸素摂取量や心拍数などから導出しても良い。
【００５５】
(ii)  予め定めた所定の時間内に、食事を行っていない場合
運動を行うと体脂肪が燃焼しやすい状態であるが、長時間食事を摂取していないと判断し、過度なダイエットを防止するために、ユーザに食事の摂取を促すメッセージを送信する。このメッセージには、ダイエットにお勧めの食事の情報が含まれていても良い。測定されたアセトン濃度が予め定めたアセトン濃度の任意の閾値より大幅に高い場合には、体脂肪の分解がかなり促進されている状態、すなわち体内の糖分がかなり少ない状態であると推測されるため、例えば標準体重（身長［ｍ］×身長［ｍ］×２２（BMI標準値））×体重１[ｋｇ]あたりに必要なカロリー数（２５〜３０[ｋｃａｌ]）、から算出される１日の推奨摂取カロリーから導かれる１食の食事に適したカロリーと同程度もしくは数百kcal多め、かつ炭水化物の配分比率が通常推奨される配分比率より高めの食事（７０％以上）を推奨する。測定されたアセトン濃度が予め定めたアセトン濃度の任意の閾値前後の場合には、ダイエットに適した体脂肪の分解が維持されている状態と推測されるため、例えば１日の推奨摂取カロリーから導かれる１食の食事に適したカロリー数と同程度もしくは数百kcal低め、かつ炭水化物の配分比率が通常の食事（５０〜７０％）、もしくは通常推奨される配分比率より低めの食事（５０％以下）を推奨する。
【００５６】
(II)予め定めたアセトン濃度の閾値より、測定されたアセトン濃度が低い場合
脂肪が燃焼していない状態、運動を行っても体脂肪が燃焼しにくい状態であると判断し、ユーザがこれまで運動を行っていたか否かを判断する。判断方法としては、例えば加速度センサ、歩数計、活動量計、呼気中の二酸化炭素濃度の上昇、呼気中のイソプレン濃度の上昇、発汗量の上昇、ユーザが自ら端末装置１００a、１００bに運動の有無を入力することや、ユーザの電子スケジュール帳やブログなどから運動の情報を取得することなどを用いることが可能である。
【００５７】
(i)  運動を行っていると判断した場合
ユーザが行った運動の運動量が足りていないと判断し、より運動強度が高く、運動時間が長い運動を勧める旨のメッセージを送信する。
【００５８】
(ii)  運動を行っていないと判断した場合
軽い運動を始めること勧める旨のメッセージを送信する。
【００５９】
(実施例３）  ダイエット支援システム動作例２
図７を参照しながら動作例を説明する。
【００６０】
生体ガス中のアセトン濃度を、生体ガスセンサ２００を用いて測定する。測定されたアセトン濃度のデータおよび測定時刻は通信部２０３からサーバ１０２に送信される。サーバ１０２にある生体ガス濃度データベース３０２から、図８に示すようなユーザの予め定めた所定の期間のアセトン濃度の日内変動を平均化したグラフを導出し、測定されたアセトン濃度と比較し、一定量高い場合は、ユーザが食事の摂取に適した状態であると判断する。また、一定量とは個人情報データベース３０１の性別、体脂肪率、BMI、病態等から算出される。これは、性別、体脂肪率、BMI、病態等により一定量に個人差が生じるためである。
【００６１】
(I)食事の摂取に適した状態であると判断された場合
ユーザに食事摂取を促す旨のメッセージを送信する。
【００６２】
(II)食事の摂取に適した状態ではないと判断された場合
ユーザに食事摂取をもう少し我慢する旨のメッセージを送信する。
【００６３】
なお、本実施例においても、前記実施例２と同様に、推奨する食事や運動に関するメッセージ、過度なダイエットを防止するメッセージを送信してもよい。
【００６４】
（実施例４）  ダイエット支援システム動作例３
生体ガス濃度データベース３０２から、図９に示すようなユーザの予め定めた所定の期間のアセトン濃度の日内変動を平均化した日内変動グラフを導出する。このグラフから、１日の中でどの時刻にユーザのアセトン濃度が高くなる傾向にあるかを把握する。判明した時刻をユーザにメッセージで知らせることにより、毎回アセトン濃度を測定しなくても１日の中でユーザにとって運動に適切な時間が把握できる。
【００６５】
（実施例５）  ダイエット支援システム動作例４
脂肪燃焼状況・運動量推定部３０５により、ユーザのある1日もしくは特定期間の脂肪燃焼状況を定量化、脂肪燃焼レベルで分類（具体的な方法については、実施例７−脂肪燃焼状況、運動量の定量化方法−に記載）した情報を、ユーザが任意、または予め定めた時刻、端末装置１００ａ、１００ｂがサーバ１０２からメッセージを受信する際、ユーザが生体ガス濃度を測定する際等に、表示部２０２からユーザに知らせることにより、過去の脂肪燃焼状況がどのような状態であったか把握出来る。これにより、ユーザが、自身の日常アセトン濃度レベルが改善されているのか否かを簡便に判断することができ、実施した運動内容や生活習慣の改善に役立つ。
【００６６】
（実施例６）  ダイエット支援システム動作例５
生体ガスセンサ２００により、生体ガス中のアセトン濃度を測定した際、生体ガス濃度データベース３０２に記録されている過去のアセトン濃度のデータから、測定したその日、またはアセトン濃度を測定した時刻からある特定時刻までのアセトン濃度の変化を予測し、測定したその日、もしくはある特定時刻までの脂肪燃焼状況を予測する。これは生体ガス中のアセトン濃度の変化は、生活・行動様態が一定である場合、個人によって特有の変化の傾向が見られるため、ある程度の予測が可能なためである。具体的な予測方法としては、図９に示すようなユーザが予め定めた所定の期間のアセトン濃度の日内変動を平均化した日内変動グラフの波形の変化と測定したアセトン濃度から、過去の波形の変化を反映した、アセトン濃度変化を予測したグラフを作成する。これにより、過去にアセトン濃度のデータが一定量蓄積されていれば、ユーザはアセトン濃度を1回測定するだけで、測定したその日、または測定した時刻からある特定時刻までの脂肪燃焼状況を把握することが出来る。これにより、ユーザが目的としているダイエットの目標に対して、ユーザの現在の生活習慣や運動内容が適切か否かを簡便に判断することが出来る。
【００６７】
(実施例７）  脂肪燃焼状況、運動量の定量化方法
図９に示す、ユーザの予め定めた所定の期間のアセトン濃度の日内変動を平均化した日内変動グラフから、次のように脂肪燃焼状況を定量化することができる。
【００６８】
前記特許文献１では、ある特定時刻のアセトン濃度のみから、ある特定時刻の脂肪燃焼状況を定量化、分類するのみであり、ある特定期間の脂肪燃焼状況を定量化、分類する方法については記載されていない。例えば朝７時から夜１２時までの脂肪燃焼状況を定量化する場合は、朝７時から夜１２時までのアセトン濃度のグラフの面積を求めることで定量化することが可能である。この面積値は、直接的に脂肪減少量を示している訳ではないが、この値が大きいほど日常のアセトン濃度レベルが高いことを示しており、相対的に脂肪がより燃焼し易い体質であるとも解釈し得る。また、この面積値の大きさから、ユーザの脂肪燃焼状況を脂肪燃焼レベル分類することにより、ユーザがどのような脂肪燃焼状況であったかが、簡便に判定することが出来る。分類方法としては、例えば面積値がＡ以下の場合はレベル１：脂肪が燃えにくい状態、または燃えていない状態、面積値がＡ以上Ｂ以下の場合はレベル２：脂肪が少し燃えやすい状態、または少し燃えている状態、面積値がＢ以上の場合はレベル３：脂肪が燃えやすい状態、または燃えている状態、などが考えられる（Ｂ≧Ａ）。また、この面積値から、もしくはこの面積値と、生体インピーダンス測定などによって算出される体脂肪率、心拍数、酸素摂取量などを組み合わせることにより、脂肪燃焼量、運動量を定量化することができる。
【００６９】
（変形例１）
前記実施例２において、予め定めた所定の時間内に食事を行っているが、予め定めたアセトン濃度の閾値と測定されたアセトン濃度とを比較すると、測定されたアセトン濃度が大幅に高い、という結果が一定期間内に頻繁に生じる場合には、過度なダイエットを行っている、または糖尿病にかかっている可能性がある。そのため、過度なダイエットをやめる、または病院への診療を促すメッセージをユーザに通知してもよい。本変形例１は栄養失調の判定に利用することも可能であり、６人に１人が栄養失調者と言われている高齢者の栄養失調の予防にも寄与し得る。
【００７０】
（変形例２）
前記実施例２におけるお勧めの食事の情報は、食事の摂取を促すメッセージを通知する際にユーザに通知するだけでなく、ユーザの通常の一日の食事摂取の時間の前や、ユーザが希望する任意のタイミングにユーザによって得られるようにしても良い。
【００７１】
（変形例３）
前記実施例２におけるお勧めする運動は、有酸素運動と無酸素運動を組み合わせた運動としても良い。有酸素運動と無酸素運動を組み合わせた運動は脂肪燃焼に効果的であると言われている。
【００７２】
（変形例４）
測定されたアセトン濃度が予め定めたアセトン濃度の閾値より低い場合には、体脂肪の分解が促進されていない状態であるため、食事の摂取を促すメッセージはユーザに通知されないが、ユーザが食事の摂取を望み、お勧めの食事の情報が知りたい場合には、例えば低カロリー食品かつ炭水化物の配分比率が通常推奨される配分比率より低め（５０％以下）の食事を推奨するメッセージを通知してもよい。
【００７３】
（変形例５）
呼気や皮膚、粘膜のいずれかから発せられる一酸化窒素は、気管支や腸管、血管の平滑筋の拡張因子として作用し、代謝との関連も深いことが知られている。アセトン濃度測定と併せて一酸化窒素濃度測定も行い、両者の測定結果を踏まえて総合的に脂肪燃焼状況を判断してもよい。
【００７４】
（変形例６）
呼気や皮膚、粘膜のいずれかから発せられる酸素と二酸化炭素の比で脂肪燃焼状況を判断してもよい。
【００７５】
以上、ダイエット支援システム、端末装置、サーバ、ダイエット支援方法を実施例により説明したが、本発明は上記実施例に限定されるものではなく、本発明の範囲内で種々の変形及び改良が可能である。発明の理解を促すため具体的な数値例を用いて説明がなされたが、特に断りのない限り、それらの数値は単なる一例に過ぎず適切な如何なる値が使用されてもよい。実施例又は項目の区分けは本発明に本質的ではなく、2以上の項目に記載された事項が必要に応じて組み合わせて使用されてよいし、ある項目に記載された事項が、別の項目に記載された事項に（矛盾しない限り）適用されてよい。説明の便宜上、本発明の実施例に係る装置は機能的なブロック図を用いて説明されたが、そのような装置はハードウェアで、ソフトウェアで又はそれらの組み合わせで実現されてもよい。ソフトウェアは、ランダムアクセスメモリ（RAM）、フラッシュメモリ、読み取り専用メモリ（ROM）、EPROM、EEPROM、レジスタ、ハードディスク（HDD）、リムーバブルディスク、CD−ROM、データベース、サーバその他の適切な如何なる記憶媒体に用意されてもよい。
【００７６】
本願は２０１１年９月１４日に出願した日本国特許出願第２０１１−２０１１８０号に基づきその優先権を主張するものであり、同日本国出願の全内容を本願に援用する。
【符号の説明】
【００７７】
１００a、１００b  端末装置
１０１  ネットワーク
１０２  サーバ
２００  生体ガスセンサ
２０１  操作部
２０２  表示部
２０３  通信部
３００  データベース
３０１  個人情報データベース
３０２  生体ガス濃度データベース
３０３  通信部
３０４  通知判断部
３０５  脂肪燃焼状況・運動量推定部
１０００  ダイエット支援システム
１００１  計測機能
１００２  分析機能
１００３  タイミング判定機能
１００４  通知機能
１００５  食事摂取判定機能
１００６  効果判定機能
１００７  運動実施判定機能
１００８  算定機能
２０００  端末装置
２００１  計測機能
２００２  分析機能
２００３  食事タイミング判定機能
２００４  食事判定機能
２００５  運動タイミング判定機能
２００６  運動判定機能
２００７  算定機能
２００８  通知機能
２００９  送信機能
２０１０  受信機能
２０１１  表示機能
３０００  サーバ
３００１  受信機能
３００２  分析機能
３００３  判定機能
３００４  送信機能
【図１】
2013038959.tif 000003
【図２】
2013038959.tif 000004
【図３】
2013038959.tif 000005
【図４】
2013038959.tif 000006
【図５】
2013038959.tif 000007
【図６】
2013038959.tif 000008
【図７】
2013038959.tif 000009
【図８】
2013038959.tif 000010
【図９】
2013038959.tif 000011
【図１０】
2013038959.tif 000012
【図１１】
2013038959.tif 000013
【図１２】
2013038959.tif 000014
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
生体ガス成分を検知して、前記生体ガスの濃度を計測する計測機能と、
前記計測機能による計測結果を蓄積し、分析する分析機能と、
前記分析機能による分析結果に応じて、食事の摂取に適したタイミング又は運動の実施に適したタイミングを判定するタイミング判定機能と、
前記分析機能による分析結果に応じて、予め定めた時間間隔内に食事を摂ったか否かを判定する食事摂取判定機能、又は予め定めた期間内に、運動を実施したか否かを判定する運動実施判定機能の少なくとも一方と、
を有するダイエット支援システムであって、
前記食事摂取判定機能は、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、
前記運動実施判定機能は、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、
ダイエット支援システム。
【請求項２】
前記生体ガスがアセトンであり、
前記分析機能は、アセトン濃度の測定結果と、予め定めた閾値との比較、又は、前記アセトン濃度の測定結果と過去に測定したアセトン濃度を蓄積した結果との比較を行い、
前記タイミング判定機能は、前記分析機能による比較結果に応じて、前記食事の摂取に適したタイミング又は前記運動の実施に適したタイミングを判定し、
前記ダイエット支援システムは、前記タイミング判定機能による判定結果に応じて、前記食事の摂取に適したタイミング又は前記運動の実施に適したタイミング、ないしは推奨する食事や運動、生活習慣に関するメッセージを通知する通知機能とを更に有する、
請求項１記載のダイエット支援システム。
【請求項３】
前記分析機能による分析の結果、
前記タイミング判定機能が、前記食事の摂取に適したタイミング又は前記運動の実施に適したタイミングであると判定した場合に、
さらに、
前記食事摂取判定機能により、前記予め定めた時間間隔内に食事を摂っていないと判定される場合には、食事の摂取を勧める旨のメッセージを通知し、
前記食事摂取判定機能により、前記予め定めた時間間隔内に食事を摂っていると判定される場合には、運動の実施を勧める旨のメッセージを通知する、請求項１記載のダイエット支援システム。
【請求項４】
過去に実施した運動の効果があったか否かを判定する効果判定機能を更に有し、
前記効果判定機能により、運動の効果があったと判定される場合には、前回と同等の運動強度、運動時間での運動の実施を勧める旨のメッセージを通知し、
前記効果判定機能により、運動の効果が無かったと判定される場合には、前回よりも運動強度を上げる又は運動時間を延ばして運動の実施を勧める旨のメッセージを通知する、請求項１記載のダイエット支援システム。
【請求項５】
前記効果判定機能による判定は、前記過去に実施した運動の後の予め定めた期間におけるアセトンの総量または平均値が、前記過去に実施した運動の前の予め定めた期間におけるアセトンの総量又は平均値と比較して上昇しているか否かに基づく、請求項４記載のダイエット支援システム。
【請求項６】
前記運動実施判定機能により、運動を実施していないと判定される場合には、運動の実施を勧める旨のメッセージを通知する、請求項１記載のダイエット支援システム。
【請求項７】
前記ダイエット支援システムは、予め定めた期間におけるアセトンの総量から、前記予め定めた期間における脂肪燃焼状況を算定する算定機能を更に有し、
前記算定機能により算定した結果を通知する、請求項１記載のダイエット支援システム。
【請求項８】
前記生体ガス成分が、呼気、皮膚、粘膜のいずれか１つ以上から発せられ、
前記生体ガス成分が、アセトン、エタノール、メチルメルカプタン、硫化水素、イソプレン、一酸化窒素、酸素、二酸化炭素を含む群から選択される少なくともひとつであり、
前記生体ガス成分を検知して、前記生体ガスの濃度を計測する前記計測機能が、１種類以上のセンサを使用して、所定の時間間隔または任意のタイミングで前記生体ガス成分を検知し、前記生体ガスの濃度を計測する、請求項１記載のダイエット支援システム。
【請求項９】
生体から発せられる生体ガスを検知して、その濃度を計測する計測機能と、
検知した生体ガスの計測結果を蓄積、分析する分析機能と、
前記分析機能による分析結果に応じて、食事の摂取に適したタイミング又は運動の実施に適したタイミングを判定するタイミング判定機能と、
前記分析機能による分析結果に応じて、予め定めた時間間隔内に食事を摂ったか否かを判定する食事摂取判定機能、又は予め定めた期間内に、運動を実施したか否かを判定する運動実施判定機能の少なくとも一方と、
食事の摂取ないしは運動の実施に適切なタイミング、または推奨する食事や運動、生活習慣、ないしは脂肪燃焼状況に関するメッセージを表示する表示機能と、
を有する端末装置であって、
前記食事摂取判定機能は、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、
前記運動実施判定機能は、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、
端末装置。
【請求項１０】
お勧めの食事の情報を判定する食事判定機能と、
実施する運動強度、運動時間を判定する運動判定機能と、
脂肪燃焼状況を算定する算定機能と、
前記食事の摂取又は運動の実施に適切なタイミング、又はお勧めの食事の情報、実施する運動強度、運動時間、ないしは脂肪燃焼状況に関するメッセージを通知する通知機能と、
を更に有する、請求項９記載の端末装置。
【請求項１１】
生体から発せられた生体ガスの計測結果を受信する受信機能と、
受信した生体ガスの計測結果を蓄積、分析する分析機能と、
食事の摂取に適切なタイミング又は運動の実施に適切なタイミング、又は推奨する食事や運動、生活習慣、ないしは脂肪燃焼状況を判定する判定機能と、
前記分析機能による分析結果に応じて、予め定めた時間間隔内に食事を摂ったか否かを判定する食事摂取判定機能、又は予め定めた期間内に、運動を実施したか否かを判定する運動実施判定機能の少なくとも一方と、
食事の摂取又は運動の実施に適切なタイミング、又は推奨する食事や運動、生活習慣、ないしは脂肪燃焼状況に関するメッセージを送信する送信機能と、
を有するサーバであって、
前記食事摂取判定機能は、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、
前記運動実施判定機能は、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、
サーバ。
【請求項１２】
コンピュータに、
生体から発せられる生体ガス成分を検知して、前記生体ガス成分の濃度を計測する計測ステップと、
前記計測ステップによる計測結果を蓄積、分析する分析ステップと、
前記分析ステップによる分析結果に応じて、食事の摂取に適したタイミング又は運動の実施に適したタイミングを判定するタイミング判定ステップと、
前記分析ステップによる分析結果に応じて、予め定めた時間間隔内に食事を摂ったか否かを判定する食事摂取判定ステップ又は予め定めた期間内に、運動を実施したか否かを判定する運動実施判定ステップの少なくとも一方と、
を実行させるダイエット支援方法であって、
前記食事摂取判定ステップは、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、
前記運動実施判定ステップは、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、
ダイエット支援方法。
【手続補正２】
【補正対象書類名】明細書
【補正対象項目名】００１１
【補正方法】変更
【補正の内容】
【００１１】
即ち本発明のダイエット支援システムは、生体ガス成分を検知して、前記生体ガスの濃度を計測する機能と、前記計測結果を蓄積、分析する機能と、前記分析結果に応じて、食事の摂取に適したタイミング又は運動の実施に適したタイミングを判定する機能と、前記分析機能による分析結果に応じて、予め定めた時間間隔内に食事を摂ったか否かを判定する食事摂取判定機能、又は予め定めた期間内に、運動を実施したか否かを判定する運動実施判定機能の少なくとも一方と、を有するダイエット支援システムであって、前記食事摂取判定機能は、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、前記運動実施判定機能は、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、ことを特徴とするダイエット支援システムである。
【手続補正３】
【補正対象書類名】明細書
【補正対象項目名】００１２
【補正方法】変更
【補正の内容】
【００１２】
また本発明の端末装置は、生体から発せられる生体ガスを検知して、その濃度を計測する機能と、検知した生体ガスの計測結果を蓄積、分析する分析機能と、前記分析機能による分析結果に応じて、食事の摂取に適したタイミング又は運動の実施に適したタイミングを判定するタイミング判定機能と、前記分析機能による分析結果に応じて、予め定めた時間間隔内に食事を摂ったか否かを判定する食事摂取判定機能、又は予め定めた期間内に、運動を実施したか否かを判定する運動実施判定機能の少なくとも一方と、食事の摂取ないしは運動の実施に適切なタイミング、または推奨される食事や運動、生活習慣、ないしは脂肪燃焼状況に関するメッセージを表示する機能とを有する端末装置であって、前記食事摂取判定機能は、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、前記運動実施判定機能は、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、ことを特徴とする端末装置である。
【手続補正４】
【補正対象書類名】明細書
【補正対象項目名】００１３
【補正方法】変更
【補正の内容】
【００１３】
また本発明のサーバは、生体から発せられた生体ガスの計測結果を受信する機能と、受信した生体ガスの計測結果を蓄積、分析する機能と、食事の摂取に適切なタイミング又は運動の実施に適切なタイミング、又は推奨される食事や運動、生活習慣、ないしは脂肪燃焼状況を判定する機能と、前記分析機能による分析結果に応じて、予め定めた時間間隔内に食事を摂ったか否かを判定する食事摂取判定機能、又は予め定めた期間内に、運動を実施したか否かを判定する運動実施判定機能の少なくとも一方と、食事の摂取又は運動の実施に適切なタイミング、又は推奨される食事や運動、生活習慣、ないしは脂肪燃焼状況に関するメッセージを送信する機能とを有するサーバであって、前記食事摂取判定機能は、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、前記運動実施判定機能は、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、ことを特徴とするサーバである。
【手続補正５】
【補正対象書類名】明細書
【補正対象項目名】００１４
【補正方法】変更
【補正の内容】
【００１４】
さらに本発明のダイエット支援方法は、コンピュータが、生体から発せられる生体ガス成分を検知して、その濃度を計測するステップと、その計測結果を蓄積、分析するステップと、その分析結果に応じて、食事の摂取に適したタイミング又は運動の実施に適したタイミングを判定するタイミング判定ステップと、前記分析ステップによる分析結果に応じて、予め定めた時間間隔内に食事を摂ったか否かを判定する食事摂取判定ステップ又は予め定めた期間内に、運動を実施したか否かを判定する運動実施判定ステップの少なくとも一方と、を実行させるダイエット支援方法であって、前記食事摂取判定ステップは、生体から発せられるエタノール、メチルメルカプタン、硫化水素のいずれか１つ以上のガス成分の濃度上昇を検知すること、電子スケジュールデータを参照すること、ブログないしは手入力データを参照すること又はこれらの組み合わせを実行し、前記運動実施判定ステップは、前記予め定めた期間内における、生体から発せられるアセトンないしはイソプレンの急激な濃度上昇の検知、歩数計データの参照、活動量計データの参照、電子スケジュールデータの参照、ブログないしは手入力データの参照、のいずれか、ないしは組み合わせに基づく、ことを特徴とするダイエット支援方法である。
【国際調査報告】
2013038959.tif 000015
2013038959.tif 000016